(57)【特許請求の範囲】
【請求項１】
案内画面を表示すると共に、複数の数字にそれぞれ対応し所定範囲をそれぞれ占め該数字の表示を含み該数字の入力に供される入力キーに対する操作により数字を入力する、利用者による入力操作を受け付ける表示操作部と、
前記表示操作部に表示する案内画面を作成する表示画面作成部と、を備える自動取引装置であって、
前記表示画面作成部は、第１状態および第２状態の表示画面を作成すると共に、前記表示操作部において受け付けられた入力操作に伴い、表示領域に表示される入力キーを前記第１状態と前記第２状態との間で変更するものであり、
前記表示領域は、
前記入力キーを表示するための枠の内部の領域であり、
前記第１状態は、
前記複数の数字にそれぞれ対応する全ての入力キーを、該全ての入力キーが前記表示領域に表示される大きさに表示し、
前記入力キーに対応する数字を該入力キーが占める前記所定範囲に収まる大きさで表示するものであり、
前記第２状態は、
前記第１状態の前記入力キーの大きさよりも前記入力キーの大きさを拡大することにより、前記複数の数字のうち一部の数字を入力対象とする入力キーを、前記第１状態における前記表示領域と略同一の形状の表示領域に、前記表示領域におけるそれぞれの入力キーが占める範囲が前記第１状態から変わるように、表示するとともに、
前記入力キーに含まれる数字の表示を前記第１状態での前記数字の表示よりも小さくなるように縮小して表示するものである、
ことを特徴とする自動取引装置。
【請求項２】
請求項１に記載の自動取引装置であって、
前記表示画面作成部は、前記第２状態には、前記表示領域を移動させる移動キーを、前記入力キー上に重ねて、前記入力キーと異なる色彩でまたは点滅させて、表示することを特徴とする自動取引装置。
【発明の詳細な説明】
【技術分野】
【０００１】
本発明は、自動取引装置に関する。
【背景技術】
【０００２】
金融機関の窓口、およびキャッシュコーナーに設置されている自動取引装置では、現金の引き出しや、口座の残高照会など特定の取引を行う際、本人認証（確認）のために、暗証番号などの個人情報を入力する。特に、暗証番号は、キャッシュカードを使用する際に重要な情報であり、キャッシュカードのスキミングによって偽造カードが作成され、そのキャッシュカードの暗証番号は覗き見された場合、悪用される可能性がある。そのため、暗証番号を入力する際、利用者以外の人物（例えば、利用者の背後に並ぶ人物）から暗証番号の覗き見を防止する技術が提案されている。
【０００３】
例えば、特許文献１には、暗証番号などの個人情報を入力したり、表示する際、自動取引装置に搭載された顧客センサによって、利用者の背後に立つ人物の位置を検知し、利用者の背後に立つ人物から見えにくい位置に暗証番号などの個人情報を入力するキーや、入力された個人情報を表示することが開示されている。また、特許文献２には、暗証番号の入力画面に、同一の数字キーを複数表示するとともに、数字キーの表示位置をランダムとすることが開示されている。
【先行技術文献】
【特許文献】
【０００４】
【特許文献１】特開２００６−２４４１０４号公報
【特許文献２】特開２００６−２４３９３８号公報
【発明の概要】
【発明が解決しようとする課題】
【０００５】
上記特許文献１の場合、利用者の背後に立つ人物からの覗き見を防止することが可能であるが、自動取引装置に搭載された顧客センサの検知結果に応じて、入力キーの表示位置が変わってしまう。そのため、利用者が入力キーの表示位置を予測することができず、操作性が低下する可能性がある。
【０００６】
また、上記特許文献２によれば、ランダムに入力キーを表示することにより、腕の動きや手の動きから暗証番号を推測されにくくしているが、強制的にランダムに表示されるため、利用者によっては押下したいキーが見つけにくく操作性が低下する可能性がある。
【０００７】
本発明は上記の点を考慮してなされたもので、暗証番号などの個人情報を入力する際、操作性を低下させず個人情報の覗き見防止技術を提供することを目的とする。
【課題を解決するための手段】
【０００８】
上記課題を解決するために本発明は、案内画面を表示すると共に、利用者による入力操作を受け付ける表示操作部と、前記表示操作部に表示する案内画面を作成する表示画面作成部と、を備える自動取引装置であって、前記表示画面作成部は、数字の入力に供される入力キーの表示領域に、一部の入力対象となるキーを表示する表示画面を作成すると共に、前記表示操作部において受け付けられた入力操作に伴い、前記表示領域に表示される前記入力対象となるキーを変更することを特徴とする。
【発明の効果】
【０００９】
本発明によれば、入力キーのサイズを変更したり、表示範囲を調整したりすることにより、利用者の背後に立つ第三者からの覗き見を防止することが可能である。また、表示範囲に入力キーの一部のみ表示することにより、利用者の背後に立つ人物による、利用者の腕の動きや手の動きから入力した暗証番号の漏洩リスクを低減することが可能となる。その他の効果については、後述する。
【図面の簡単な説明】
【００１０】
【図１】自動取引装置の外観を示す概略図である。
【図２】自動取引装置の機能構成を示すブロック図である。
【図３】暗証番号入力画面の一例であって、全ての入力キーが表示された状態を示す図である。
【図４】第１の実施形態における暗証番号入力画面の一例を示す図である。
【図５】第１の実施形態において、入力キーの大きさを変更する処理について説明する図である。
【図６】第１の実施形態において、入力キーの内、枠に表示される領域を移動させる処理について説明する図である。
【図７】第２の実施形態における暗証番号入力画面の一例を示す図である。
【図８】第２の実施形態において、枠を移動させる処理について説明する図である。
【図９】第３の実施形態における暗証番号入力画面の一例を示す図である。
【図１０】第３の実施形態において、入力キーの内、枠に表示される領域を移動させる処理について説明する図である。
【図１１】第４の実施形態における暗証番号入力画面の一例を示す図である。
【図１２】第４の実施形態における暗証番号入力画面の一例を示す図である。
【図１３】第５の実施形態における暗証番号入力画面の一例を示す図である。
【図１４】第６の実施形態における暗証番号入力画面の一例を示す図である。
【図１５】第７の実施形態における暗証番号入力画面の一例を示す図である。
【発明を実施するための形態】
【００１１】
（１）第１の実施形態
以下、図１から図６を参照して、本発明の第１の実施形態を説明する。
まず、図１を参照して、自動取引装置の外観構成について説明する。図１に示すように、自動取引装置１は、１つの筐体７に、表示・操作部２、紙幣処理部３、硬貨処理部４、カード・明細票処理部５及び通帳処理部６を備えて構成される。
【００１２】
表示・操作部２は、自動取引装置１の上面に設けられ、利用者に対する案内画面を表示し、利用者の入力操作を受け付ける。特に、表示・操作部２は、利用者の指などが複数箇所接触されたことを検出し、当該利用者の指などの移動により、入力キー等の拡大、縮小や移動が可能な構成である。なお、表示・操作部２は、利用者の生体情報（指紋、指静脈、掌紋等）を読み取る生体情報読取部等を有していてもよい。
【００１３】
紙幣処理部３は、入出金紙幣を収納し、紙幣を収納するためのシャッタが設けられている。紙幣処理部３は、このシャッタの開閉により、紙幣処理部３に対する紙幣の投入や取り出しを制限する。また、紙幣処理部３は、各金種別に紙幣を収納する各金種カセット、損券や判別不明な不確定紙幣を収納するリジェクトカセット、繰り出した紙幣の取り忘れが発生した際、該当取忘れ紙幣を収納する取忘れ回収カセット及び各金種カセットへ紙幣を収納する為に、初めに紙幣を手詰めする装填カセットなどを有している。
【００１４】
硬貨処理部４は、入出金硬貨を収納し、紙幣処理部３と同様に硬貨を収納するためのシャッタが設けられている。硬貨処理部４は、このシャッタの開閉により、硬貨処理部４に対する硬貨の投入や取り出しを制限する。また、硬貨処理部４は、各金種別に硬貨を収納する各金種カセット、破損硬貨や判別不明な不確定硬貨を収納するリジェクトカセット、繰り出した硬貨の取り忘れが発生した際、該当取忘れ硬貨を収納する取忘れ回収カセット、及び、各金種カセットへ硬貨を収納する為に、初めに硬貨を手詰めする装填カセットなどを有している。
【００１５】
通帳処理部５は、本体正面に設けた通帳挿入口に挿入された通帳を取り込み、この通帳に対して取引履歴を印字する印字部を有している。また、通帳処理部５は、取り込んだ通帳のページを捲るページ捲り機構や、通帳に印刷されているページ番号を示すバーコードを読み取るバーコードリーダ、通帳に貼付されている磁気ストライプに記録されている通帳情報（金融機関番号、店舗番号、口座番号等）を読み取る磁気ヘッドなども有している。また、通帳に印字スペースがなくなった場合に新規通帳を印字、書込み、発行する通帳発行機構を有しており、本通用発行機構へ新通帳を手詰めする装填カセットも有している。
【００１６】
カード・明細票処理部６は、挿入されたカードを取り込み、このカードに記録されているカード情報（金融機関番号、店舗番号、口座番号等）の読み取りや、カード情報の書き換え等を行う。カード・明細票処理部６は、磁気カードを処理する構成であっても、ＩＣカードを処理する構成であっても、両方のカード（磁気カード及びＩＣカード）を処理する構成であってもよい。また、カード・明細票処理部６は、取引内容を明細票に印字する印字部を有し、印字部により印字された明細票を放出する。また、カード・明細票処理部６は、自動取引装置１の動作履歴をジャーナル用ロール紙に印字するジャーナル部、振込取引において振込先情報を記録した振込み券をデータ書込み、印字、発券する振込み券発行部、及び、繰り出したカードの取り忘れが発生した際、該当取忘れカードを収納する取忘れ回収カセットを有している。
【００１７】
次に、図２を参照して、自動取引装置１の機能構成について説明する。図２に示すように、自動取引装置１は、上記構成の他に、通信制御部２１、記憶部２２と、制御部２３とを有する。なお、係員に対する操作画面を表示し、係員の入力操作を受け付ける係員・表示操作部を設けても良い。
【００１８】
通信制御部２１は、保守運用を行うセンタ側に設置されているホストコンピュータ（図示せず）との間におけるデータ通信を制御する。なお、ホストコンピュータでは、開設されている口座毎に、口座開設者の氏名、住所、連絡先電話番号、取引履歴、暗証番号、口座残高等を含む口座管理情報を登録したデータベースを備えている。また、ホストコンピュータ４０は、自動取引装置１から通知された取引内容に基づいて、取引が行われた口座にかかる口座管理情報を更新する処理や、自動取引装置１からの取引可否の認証要求に対して、取引可否を認証し、その認証結果を返信する処理等を行う。
【００１９】
記憶部２２は、ＤＲＡＭ（Dynamic Random Access Memory）、ＨＤＤ（Hard Disk Drive）、ＳＳＤ（Solid State Drive）等であり、自動取引装置１の全操作記録、貨幣や消耗品の加減、障害の詳細情報が記憶される。
【００２０】
制御部２３は、自動取引装置１の動作を制御する。例えば、表示・操作部２で検知された利用者の指の動作に応じて、入力キーの拡大、縮小、移動や、入力キーの表示領域の拡大、縮小、移動を実行する。また、制御部２３は、通信制御部２１を介してホストコンピュータに対して、口座情報、入力された暗証番号、入金金額、出金金額などのデータを送信する。その後、制御部２３は、ホストコンピュータから受信した指示に基づき、紙幣処理部３、硬貨処理部４、通帳処理部５、カード・明細票処理部６を制御する。また、制御部２３は、紙幣処理部３、硬貨処理部４、通帳処理部５、カード・明細票処理部６等に対する利用者や係員の操作を監視する。すなわち、制御部２３は、表示・操作部２に表示する案内画面を作成する表示画面作成部や、取引を制御する取引制御部や、装置全体を監視する装置監視部として機能する。
【００２１】
次に、自動取引装置１における処理の概要について説明する。図３は、暗証番号の入力画面を示す図である。入力画面３００には、暗証番号の入力キー３０１と、入力キー３０１の周囲に配置された枠３０２とを備えている。なお、入力画面３００には、取引を取り消す際に押下される取消キー３０３と、入力された暗証番号を訂正する際に押下される訂正キー３０４と、入力された暗証番号を確定する際に押下される確定キー３０５とを備えても良い。
【００２２】
この場合、入力キー３０１には、０〜９までの数字に対応するキーが全て表示されているが、各キーの位置や大きさが固定されていると、利用者の腕の動きや手の動きから入力した暗証番号を推測されやすくなる。
【００２３】
そこで、図４に示す暗証番号の入力画面４００のように、０〜９までの数字に対応するキーの一部を表示した入力キー４０１と、枠３０２と略同一の形状の枠４０２とを備えることにより、利用者が暗証番号を入力する際に、入力キー４０１の表示領域を変更する動作を伴う。そのため、利用者の背後に立つ人物による、利用者の腕の動きや手の動きから入力した暗証番号の漏洩リスクを低減することが可能となる。
【００２４】
このとき、入力キー４０１に表示される数字を縮小するようにしても良い。これにより、利用者の背後に立つ人物により、表示・操作部２が見られ易い状態であったとしても、入力した暗証番号の漏洩リスクを低減することが可能となる。図４では、入力キー４０１に表示される数字を縮小した場合を示している。
【００２５】
なお、入力画面４００には、取引を取り消す際に押下される取消キー４０３と、入力された暗証番号を訂正する際に押下される訂正キー４０４と、入力された暗証番号を確定する際に押下される確定キー４０５とを備えても良い。
【００２６】
次に、図５を用いて、図４に示す暗証番号の入力画面４００における入力キー４０１の大きさを変更する処理について説明する。図５は、入力キー３０１及び枠３０２と、入力キー４０１と枠４０２を抜粋した図であり、図４に示す暗証番号の入力画面４００における入力キー４０１の大きさについて説明する図である。
【００２７】
入力画面３００を表示した場合における表示・操作部２の接触位置をＰ１、Ｐ２とし、その後、利用者の指が接触した状態を維持したまま、表示・操作部２の接触位置がＰ３、Ｐ４に移動した場合、入力キー４０１の大きさＬ２は、Ｌ２＝Ｌ１×Ｄ２／Ｄ１＋Ｘ（Ｌ１：入力キー３０１の大きさ、Ｄ１：Ｐ１とＰ２との距離、Ｄ２：Ｐ３とＰ４との距離）である。ここで、ＸはＬ２の大きさを補正する補正係数であり、入力キー４０１の大きさの変化度合を変更することを可能としている。なお、補正係数Ｘを用いるか否かは任意として良い。
【００２８】
次に、図６を用いて、図４に示す暗証番号の入力画面４００における入力キー４０１ａの内、枠４０２に表示される領域４０１ｂを移動させる処理について説明する。入力画面４００を表示した場合における表示・操作部２の接触位置をＰ５とし、その後、利用者の指が接触した状態を維持したまま、表示・操作部２の接触位置がＰ６に移動した場合、入力キー４０１ａの移動方向及び距離を示すベクトルｂ１は、表示・操作部２の接触位置の移動方向及び距離を示すベクトルａ１と、補正ベクトルｘ１とを足し合わせたものである。補正ベクトルｘ１を加えることにより、入力キー４０１ａの移動方向及び距離の変化度合を変更することを可能としている。なお、補正ベクトルｘ１を用いるか否かは任意として良い。また、入力キー４０１を拡大するだけでなく、縮小するようにしても良い。
【００２９】
第１の実施形態によれば、利用者が暗証番号を入力する際に、入力キー４０１の大きさや位置を変更し、枠内への表示領域を制限することが可能である。そのため、利用者の背後に立つ人物による、利用者の腕の動きや手の動きから入力した暗証番号の漏洩リスクを低減することが可能となる。
【００３０】
また、従来設けられていた暗証番号の入力画面を用いて上記の処理を実行することが可能であり、追加画面は不要であるため、導入コストが低く、自動取引装置への導入が容易である。
【００３１】
（２）第２の実施形態
以下、第２の実施形態について説明する。なお、第１の実施形態と共通する説明は省略し、以下では、本実施形態の特徴的な部分についてのみ説明する（以下の実施形態についても同様である）。
【００３２】
図７は、本実施形態における暗証番号の入力画面７００を示した図である。本実施形態における入力画面７００は、枠７０２ａ、７０２ｂ、７０２ｃ、７０２ｄを移動させることが可能であり、入力キー７０１の表示領域の大きさを変更することが可能である。また、枠の角部７０２ｅ、７０２ｆ、７０２ｇ、７０２ｈを移動させて、入力キー７０１の表示領域の大きさを変更しても良い。なお、入力画面７００には、取引を取り消す際に押下される取消キー７０３と、入力された暗証番号を訂正する際に押下される訂正キー７０４と、入力された暗証番号を確定する際に押下される確定キー７０５とを備えても良い。
【００３３】
次に、図８を用いて、図７に示す暗証番号の入力画面７００における、枠７０２ａ、７０２ｄを移動させる処理について説明する。入力画面７００を表示した場合における表示・操作部２の接触位置をＰ７（またはＰ８）とし、その後、利用者の指が接触した状態を維持したまま、表示・操作部２の接触位置がＰ９（またはＰ１０）に移動した場合、枠７０２ａ（または７０２ｄ）の移動方向及び距離を示すベクトルｂ２（またはｂ３）は、枠７０２ａの移動方向及び距離を示すベクトルａ２（または枠７０２ｄの移動方向及び距離を示すベクトルａ３）と、補正ベクトルｘ２（またはｘ３）とを足し合わせたものである。補正ベクトルｘ２、ｘ３を加えることにより、枠７０２ａ、７０２ｄの移動方向及び距離の変化度合を変更することを可能としている。なお、補正ベクトルｘ２、ｘ３を用いるか否かは任意として良い。
【００３４】
第２の実施形態によれば、入力キーの大きさ自体を変更させる必要が無いため、利用者の背後に立つ人物により、表示・操作部２が見られ易い状態であったとしても、入力した暗証番号の漏洩リスクを低減することが可能となる。
【００３５】
なお、枠７０２ａ、７０２ｂ、７０２ｃ、７０２ｄを移動させることにより、入力キー７０１の表示領域を拡大しても良い。このとき、入力キー７０１は、０〜９の全ての数字が表示されているが、暗証番号の入力操作以外の操作が加わることにより、操作が複雑となるため、入力した暗証番号の漏洩リスクを低減することが可能となる。
【００３６】
（３）第３の実施形態
以下、第３の実施形態について説明する。
【００３７】
図９は、本実施形態における暗証番号の入力画面９００を示した図である。本実施形態における入力画面９００は、入力キー９０１が拡大され、０〜９までの数字に対応するキーの一部を表示した入力キー９０１と、枠９０２との他に、当該入力キー９０１の表示領域を移動させる移動キー９０３ａ、９０３ｂ、９０３ｃ、９０３ｄを備える。移動キー９０３ａは、当該入力キー９０１の表示領域を上側に移動させる上側移動キー、移動キー９０３ｂは、当該入力キー９０１の表示領域を下側に移動させる下側移動キー、移動キー９０３ｃは、当該入力キー９０１の表示領域を左側に移動させる左側移動キー、移動キー９０３ｄは、当該入力キー９０１の表示領域を右側に移動させる右側移動キーである。これらの移動キー９０３ａ〜９０３ｄは、移動可能な方向のみ移動キーを表示させたり、移動可能でない方向の移動キーの表示色を、移動可能な方向の移動キーの表示色と異なる表示色として、選択できないようにしても良い。なお、入力画面９００には、取引を取り消す際に押下される取消キー９０４と、入力された暗証番号を訂正する際に押下される訂正キー９０５と、入力された暗証番号を確定する際に押下される確定キー９０６とを備えても良い。
【００３８】
次に、図１０を用いて、図９に示す暗証番号の入力画面９００における入力キー９０１ａの内、枠９０２に表示される領域９０１ｂを移動させる処理について説明する。図１０の場合は、上側移動キー９０３ａに利用者の指が接触した場合、枠９０２の入力キー９０１ａに対する相対位置が上側に移動する。実際の入力画面９００では、枠９０２の位置は固定されているため、表示領域９０１ｂに表示される入力キーが上側に移動したように表示される。
【００３９】
枠９０２（または入力キー）の移動距離は、移動キー９０３ａ〜９０３ｄに利用者の指が１回接触した場合に固定の距離としたり、移動キー９０３ａ〜９０３ｄへの接触時間に応じて可変としても良い。
【００４０】
第３の実施形態によれば、入力キーの表示領域を移動する際に、移動方向の案内をするため、暗証番号の漏洩リスクの低減を可能としつつ、利用者の操作を容易とすることが可能である。
【００４１】
（４）第４の実施形態
以下、第４の実施形態について説明する。
【００４２】
図１１は、本実施形態における暗証番号の入力画面１１００を示した図である。本実施形態における入力画面１１００は、入力キー１１０１が拡大され、０〜９までの数字に対応するキーの一部を表示した入力キー１１０１と、枠１１０２との他に、当該入力キー１１０１の表示領域を移動させる移動キー１１０３ａ、１１０３ｂ、１１０３ｃ、１１０３ｄ、１１０３ｅ、１１０３ｆ、１１０３ｇ、１１０３ｈを備える。これらの移動キー１１０３ａ〜１１０３ｈは、入力キー１１０１と異なる色彩としたり、又は点滅させるように表示したものである。
【００４３】
移動キー１１０３ａは、当該入力キー１１０１の表示領域を上側に移動させる上側移動キー、移動キー１１０３ｂは、当該入力キー１１０１の表示領域を下側に移動させる下側移動キー、移動キー１１０３ｃは、当該入力キー１１０１の表示領域を左側に移動させる左側移動キー、移動キー１１０３ｄは、当該入力キー１１０１の表示領域を右側に移動させる右側移動キーである。入力画面１１００における入力キーの内、枠１１０２に表示される領域を移動させる処理については、第３の実施形態と同様である。
【００４４】
さらに、図１１に示す入力画面１１００の場合、移動キー１１０３ａ及び１１０３ｄの機能を併せ持った右上側移動キー１１０３ｅ、移動キー１１０３ａ及び１１０３ｃの機能を併せ持った左上側移動キー１１０３ｆ、移動キー１１０３ｂ及び１１０３ｃの機能を併せ持った左下側移動キー１１０３ｇ、移動キー１１０３ｂ及び１１０３ｄの機能を併せ持った右下側移動キー１１０３ｈを備える。
【００４５】
図１２は、暗証番号の入力画面１１００において、右側移動キー１１０３ｄに利用者の指が予め定められた所定の時間継続して接触した状態を示した図である。入力キー１１０１の内、「５」キーの右側に設けられている「６」キーを、枠１１０２の外側かつ右側移動キー１１０３の右側に表示する。右側移動キー１１０３ｄから利用者の指が離れると、力キー１１０１の表示領域が右側に移動し、「６」キーが表示される。
【００４６】
なお、入力画面１１００には、取引を取り消す際に押下される取消キー１１０４と、入力された暗証番号を訂正する際に押下される訂正キー１１０５と、入力された暗証番号を確定する際に押下される確定キー１１０６とを備えても良い。
【００４７】
第４の実施形態によれば、入力キーの表示領域を小さくすると共に、移動方向の案内をするため、表示・操作部２が見られ易い状態であったとしても、暗証番号の漏洩リスクの低減を可能としつつ、利用者の操作を容易とすることが可能である。
【００４８】
（５）第５の実施形態
以下、第５の実施形態について説明する。
【００４９】
図１３は、本実施形態における暗証番号の入力画面１３００を示した図である。本実施形態における入力画面１３００は、０〜９までの数字に対応するキーの一部を表示した入力キー１３０１と、枠１３０２とを備える点において、第１の実施形態と共通している。しかし、入力キー１３０１のうち、選択することが可能な入力キーのみ表示されており、選択することができない入力キーは表示されない（図１３の場合は、対応する個所を黒色で表示している）点において、第１の実施形態と異なる。
【００５０】
すなわち、本実施形態における入力画面１３００は、利用者による選択が可能である入力キーと、利用者による選択が不可能である入力キーとを、異なる表示とするようにしている。なお、入力画面１３００には、取引を取り消す際に押下される取消キー１３０３と、入力された暗証番号を訂正する際に押下される訂正キー１３０４と、入力された暗証番号を確定する際に押下される確定キー１３０５とを備えても良い。
【００５１】
第５の実施形態によれば、選択することができない入力キーを明確に表示することにより、暗証番号の漏洩リスクの低減を可能としつつ、利用者の操作を容易とすることが可能である。
【００５２】
（６）第６の実施形態
以下、第６の実施形態について説明する。
【００５３】
図１４は、本実施形態における暗証番号の入力画面１４００を示した図である。本実施形態における入力画面１４００は、入力キー１４０１が拡大され、０〜９までの数字に対応するキーの内、一部のキーを表示した入力キー１４０１と、枠１４０２とを備える点において、第４の実施形態と共通している。しかし、キー１４０３ａ、１４０３ｂ、１４０３ｃ、１４０３ｄについて、枠１４０２内の表示領域に数字が表示されるように、数字の表示位置を変更している点において、第４の実施形態と異なる。なお、入力画面１４００には、取引を取り消す際に押下される取消キー１４０４と、入力された暗証番号を訂正する際に押下される訂正キー１４０５と、入力された暗証番号を確定する際に押下される確定キー１４０６とを備えても良い。
【００５４】
第６の実施形態によれば、入力キーの表示領域を小さくした場合であっても、入力キーの数字を表示することにより、暗証番号の漏洩リスクの低減を可能としつつ、利用者の操作を容易とすることが可能である。
【００５５】
（７）第７の実施形態
以下、第７の実施形態について説明する。
【００５６】
図１５は、本実施形態における暗証番号の入力画面１５００を示した図である。本実施形態における入力画面１５００は、０〜９までの数字に対応するキーの内、一部のキーを表示した入力キー１５０１と、枠１５０２とを備える点において、第１の実施形態と共通している。しかし、入力キーの配列をランダムに変更するシャッフルキー１５０３を備える点において、第１の実施形態と異なる。なお、入力画面１５００には、取引を取り消す際に押下される取消キー１５０４と、入力された暗証番号を訂正する際に押下される訂正キー１５０５と、入力された暗証番号を確定する際に押下される確定キー１５０６とを備えても良い。
【００５７】
第７の実施形態によれば、入力キーの配列をランダムに変更することにより、更なる暗証番号の漏洩リスクの低減が可能である。
【００５８】
なお、本発明は、上記実施の形態そのままに限定されるものではなく、実施段階ではその要旨に逸脱しない範囲で変更することが可能である。また、上記実施の形態の内、２以上の実施の形態を組み合わせても良く、例えば、第１の実施形態と第２の実施の形態とを組み合わせた場合、入力キーのサイズを大きくした場合に、枠のサイズを小さくするような構成としても良い。また、枠の形状は略矩形状に限定されるものではなく、例えば略円形状、略三角形状、略丸形状であっても良い。
【符号の説明】
【００５９】
１：自動取引装置、２：操作・表示部、３００、４００、７００、９００、１１００、１２００、１３００、１４００、１５００：暗証番号の入力画面
【図１】
0006616564.tif 000002
【図２】
0006616564.tif 000003
【図３】
0006616564.tif 000004
【図４】
0006616564.tif 000005
【図５】
0006616564.tif 000006
【図６】
0006616564.tif 000007
【図７】
0006616564.tif 000008
【図８】
0006616564.tif 000009
【図９】
0006616564.tif 000010
【図１０】
0006616564.tif 000011
【図１１】
0006616564.tif 000012
【図１２】
0006616564.tif 000013
【図１３】
0006616564.tif 000014
【図１４】
0006616564.tif 000015
【図１５】
0006616564.tif 000016